(57)【要約】  【課題】好適にシャッタを収容することができるシャッタ付の家具を提供する。  【解決手段】左右両側面板４２、４３間に棚板４１及び背面板４４を配設してなり前面及び上面を開放した家具本体４０と、この家具本体４０に設けたシャッタ６と、このシャッタ６を家具本体４０の前面及び上面を覆う閉止位置（Ｃ）から背面板４４の背面及び棚板４１の下面に沿って収容される退避位置（Ｏ）までの間で移動し得るように案内するシャッタ案内機構Ａとを具備してなることを特徴とする。  【選択図】図４
2007063879.tif 000002
【特許請求の範囲】
【請求項１】
左右両側体間に棚板及び背面板を配設してなり前面及び上面を開放した家具本体と、この家具本体に設けたシャッタと、このシャッタを前記家具本体の前面及び上面を覆う閉止位置から前記背面板の背面及び前記棚板の下面に沿って収容される退避位置までの間で移動し得るように案内するシャッタ案内機構とを具備してなることを特徴とする家具。
【請求項２】
前記シャッタ案内機構が、前記各側体の内面に設けた案内レールと、前記シャッタの各側縁に設けられ前記案内レールに沿って移動可能な従動子とを具備してなるものである請求項１記載の家具。
【請求項３】
前記案内レールが、側体の内面における家具本体の前面に対応する前面案内部と、家具本体の上面に対応する上面案内部と、家具本体の背面に対応する背面案内部と、家具本体の下面に対応する下面案内部とを連続させて設けたものであり、前記背面案内部を前記背面板の背面近傍に配するとともに、前記下面案内部を前記棚板の下面近傍に配している請求項２記載の家具。
【請求項４】
前記下面案内部を水平又は略水平に設けている請求項３記載の家具。
【請求項５】
前記家具本体が机の天板上に載置されるものであり、前記棚板と前記天板との間に、退避位置にあるシャッタを収容するシャッタ収容空間と、このシャッタ収容空間の下に形成され配線類を挿通可能な配線空間とを形成し得るように前記棚板の高さ位置を設定している請求項１、２、３又は４記載の家具。
【請求項６】
前記家具本体の内部に、書類を使用者の前面に向けて陳列することができる活用書類陳列領域と、当該活用書類陳列領域に隣接し前記書類を起立重合状態で配列することができる仮収納領域とを設けている請求項５記載の家具。
【発明の詳細な説明】
【技術分野】
【０００１】
本発明は、内部に書類等を収納し得る家具に関するものである。
【背景技術】
【０００２】
従来、書類や、書類を収納したボックスファイル等を立てかけて保管或いは使用者の手の届くところに配置しておくための家具が種々提案されている（例えば、特許文献１参照）。また、このような家具のなかには、収納空間をシャッタによって開閉することができる家具も提案されている。
【特許文献１】実公昭５６−１９８８１号公報
【発明の開示】
【発明が解決しようとする課題】
【０００３】
しかしながら、特許文献１に開示されたものでは、例えば見られたくない書類を家具に配置している場合や離籍時、帰宅時など、使用者にとって書類を露出させたくない場合では、その都度書類を別の収納家具等に収納しなければならない。
【０００４】
一方、シャッタを設けた家具を採用した場合は確かにシャッタによって書類の露出を回避することができる。しかしそのような家具は、シャッタを開放する際には別途シャッタを退避させるスペースを確保しなければならず、いきおい家具そのものが大がかりなものになってしまったり、シャッタを収容するスペースを設けたために家具の収納スペースが限定されてしまったり、或いはシャッタを収容するスペースが他の邪魔なものとなってしまうといったことが起こり得る。
【０００５】
本発明は、このような不具合に着目したものであり、シャッタを開放した際にも好適にシャッタを収容することができるシャッタ付の家具を提供する。
【課題を解決するための手段】
【０００６】
本発明は、このような目的を達成するために、次のような手段を講じたものである。すなわち、本発明に係る家具は、左右両側体間に棚板及び背面板を配設してなり前面及び上面を開放した家具本体と、この家具本体に設けたシャッタと、このシャッタを前記家具本体の前面及び上面を覆う閉止位置から前記背面板の背面及び前記棚板の下面に沿って収容される退避位置までの間で移動し得るように案内するシャッタ案内機構とを具備してなることを特徴とする。
【０００７】
このようなものであれば、本発明によれば、シャッタを収容するスペースを有効に確保することにより、家具自体が必要以上に大がかりなものとなることや、シャッタを収容するスペースのために収納スペースといった家具として重要なスペースが限定されてしまうことや、シャッタを収容するスペースが他の家具の邪魔となってしまうことを有効に回避して、家具本体内の空間を有効に確保し、当該空間を種々の用途に使用することができる。
また、シャッタを好適に案内するためには、シャッタ案内機構が、各側体の内面に設けた案内レールと、シャッタの各側縁に設けられ案内レールに沿って移動可能な従動子とを具備してなるものであることが望ましい。なお、従動子を構成するものは、案内レールに沿って移動し得るものであれば、スライダであってもローラであってもよい。
【０００８】
退避位置においてシャッタを好適に退避させるためには、案内レールが、側体の内面における家具本体の前面に対応する前面案内部と、家具本体の上面に対応する上面案内部と、家具本体の背面に対応する背面案内部と、家具本体の下面に対応する下面案内部とを連続させて設けたものであり、背面案内部を背面板の背面近傍に配するとともに、下面案内部を棚板の下面近傍に配していることが好ましい。
【０００９】
ここで、シャッタを退避させる際、ある位置までシャッタを持ち上げるとシャッタの自重によってシャッタが加速的に退避することとなるが、下面案内部を水平又は略水平に設けることにより、背面案内部を越えたシャッタの基端部分は下面案内部において水平又は略水平に移動するためにシャッタは背面案内部の長さだけの自重以上に加速することがなく、シャッタが退避する際に加速度が増した状態で退避してシャッタ案内機構に激しい衝撃を与えてしまうといったことを有効に回避することができる。
【００１０】
そして、家具本体が机の天板上に載置されるものである場合、この家具本体が天板上の配線の邪魔となってしなうおそれがあるが、棚板と前記天板との間に、退避位置にあるシャッタを収容するシャッタ収容空間と、このシャッタ収容空間の下に形成され配線類を挿通可能な配線空間とを形成し得るように前記棚板の高さ位置を設定すれば、家具を避けて配線を取り回す必要性を有効に回避して、天板上の配線を好適に取り回し得る構成とすることができる。
【００１１】
特に、天板上において書類を有効に管理して、執務を行う効率を向上させ得るものとするためには、家具本体の内部に、書類を使用者の前面に向けて陳列することができる活用書類陳列領域と、当該活用書類陳列領域に隣接し前記書類を起立重合状態で配列することができる仮収納領域とを設ける事が望ましい。なお、ここでいう書類とは、１枚の紙や、複数の紙葉類を綴じるか或いはファイリングしたものに限られるものではなく、本や雑誌等の書籍も含む概念である。
【発明の効果】
【００１２】
本発明によれば、シャッタを収容するスペースを有効に確保することにより、家具自体が必要以上に大がかりなものとなることや、シャッタを収容するスペースのために収納スペースといった家具として重要なスペースが限定されてしまうことや、シャッタを収容するスペースが他の家具の邪魔となってしまうことを有効に回避して、家具本体内の空間を有効に確保し、当該空間を種々の用途に使用することができる。また、シャッタを閉止位置とすれば、家具の内部に収納したものを好適に遮蔽することができる。そうすることにより、スペースを有効に使いつつ書類等を好適に管理し得る家具とすることができる。
【発明を実施するための最良の形態】
【００１３】
以下、本発明の一実施の形態について図面を参照して説明する。
【００１４】
本実施形態に係る執務システムＳを図１に示す。この執務システムＳは、机たるデスクＤと、当該デスクＤの天板Ｄ１上に載置したデスクトップ家具４と、デスクＤに添接させたワゴンＷとを主体としている。
【００１５】
本実施形態に係るデスクトップ家具４は、図１に示すように、デスクＤの天板Ｄ１上に載置された態様で主に使用されるものである。具体的にはこのデスクＤの横にさらにワゴンＷを添接することによって、デスクトップ家具４は、デスクＤとワゴンＷとともに、使用者が書類管理などの執務を効率的に行うことができる執務システムＳを構成しているものである。
【００１６】
執務システムＳについて説明すると、デスクＤは、図１に示すように、天板Ｄ１と、天板Ｄ１下方に設けられたメイン抽斗Ｄ１１、脚Ｄ２及び袖Ｄ３と、天板Ｄ１下方の下肢空間を遮蔽し得る幕板Ｄ４とによって主に構成している。袖Ｄ３は天板Ｄ１の側縁に沿って据え付けられており、上下方向に２段の抽斗Ｄ３０を有している。また、袖Ｄ３及び、脚Ｄ２の下方にアジャスタをそれぞれ設けることにより、デスクＤ全体を支持している。ワゴンＷは、図１に示すように、少なくとも前面を開放させた直方体形状の筐体Ｗ１と、この前面から装着された上下寸法の略等しい上下２段の抽斗３０を具備している。
【００１７】
そしてデスクトップ家具４は、左右両側の側体たる側面板４２、４３間に棚板４１及び背面板４４を配設し、前面及び上面を開放した家具本体４０と、この家具本体１０に設けたシャッタ６と、このシャッタ６を家具本体４０の前面及び上面、言い換えれば棚板４１、背面板４４及び側面板４２、４３によって形成された開口４ａを覆う閉止位置（Ｃ）から背面板４４の背面及び棚板４１の下面に沿って収容される退避位置（Ｏ）までの間で移動し得るように案内するシャッタ案内機構Ａとを具備している。
【００１８】
以下、デスクトップ家具４の各部の具体的構成について詳述する。
【００１９】
家具本体４０は、上述の通り棚板４１と背面板４４と、一対の側面板４２、４３とによって主に構成されており、棚板４１の上、且つ棚板４１、背面板４４及び側面板４２、４３によって形成された開口４ａよりも内側の空間に、書類Ｐや他の家具等を好適に収納し得るものである。
【００２０】
棚板４１は、図２に示すように、一対の側面板４２、４３間に天板Ｄ１から若干の寸法離間させて架設したものであり、当該棚板４１上には、後述するスタンド１０並びにシェルフ２０を載置している。また、天板Ｄ１と棚板４１とを離間させることにより、天板Ｄ１と棚板４１との間に退避位置（Ｏ）にあるシャッタ６を収容する後述するシャッタ収容空間Ｂ１と、配線類を挿通可能な配線空間Ｈとを形成している。そして棚板４１の側縁下側には、シャッタ６を閉止位置（Ｃ）において施錠し得る施錠手段４Ｋを設けている。
【００２１】
施錠手段４Ｋは、図２及び図３に示すように、棚板４１の側縁部近傍に設けられたシリンダ錠を主体としたものである。図３並びに図５に示す閉止姿勢（Ｃ）において、図示しない鍵を用いて施錠してシャッタ６の前端を固定することにより、閉止位置（Ｃ）から退避位置（Ｏ）へのシャッタ６の移動を禁止するものである。なお、施錠手段４Ｋは通常のシリンダ錠の構造を有したものとしているので、本明細書において詳細な記載を省略する。また、施錠手段４Ｋはシリンダ錠のみならず他の種々の構造を有した既存の施錠機構を採用することができる。
【００２２】
背面板４４は、図２に示すように、棚板４１の後端から上方に側面板４２、４３の上端と略等しい高さにまで起立している。
【００２３】
側面板４２、４３は、図２に示すように、下端部を天板Ｄ１上に載置して立ち上がる、左右略対象の形状を有した板材である。そして側面板４２、４３の内面にシャッタ６を支持するレール５を設けている。すなわちこのレール５によってシャッタ６の両側縁をそれぞれ支持し、このレール５に沿ってシャッタ６を移動させることによって、後に詳述する退避位置（Ｏ）と閉止位置（Ｃ）との間でシャッタ６が移動する。具体的にはレール５を、側面板４２、４３の内面における縁部付近を略周回するように設けている。
【００２４】
レール５は、図４及び図５に示すように、上述の通り側面板４２、４３の内面における縁部付近を略周回するように、側面板４２、４３の内面における家具本体４０の前面に対応する前面案内部５１と、家具本体４０の上面に対応する上面案内部５２と、家具本体４０の背面に対応する背面案内部５３と、家具本体４０の下面に対応する下面案内部５４とを連続させて設けたものである。前面案内部５１は、垂直に伸びる垂直部５１ａの上下方向に、奥行き方向に湾曲し棚板４１の前端４１ａに連続する奥行案内部５１ｂと、上面案内部５２に連続するアール部５２ｃとを連続させたものである。ここで、この奥行案内部５２ｂを設けてシャッタ６を前方から棚板４１の前端４１ａに当接させることによって、棚板４１の前端４１ａよりも前方にまでシャッタ６によって遮蔽することができるので、例えば棚板４１の前面にはみ出して書類Ｐ等を載置した状態であっても好適にシャッタ６を閉止位置（Ｃ）とすることができる。上面案内部５２は、側面板４２、４３の略上端に沿って配置されることにより、家具本体４０の上端付近までシャッタ６を配置し得るものとなっている。背面案内部５２は、背面板４４の背面近傍に配されるように、側面板４２、４３の後端近傍に配置されている。詳細には、背面板４４の背面側を側面板４２、４３の後端よりも若干前方に設定することによって、背面板４４の背面側に背面収容領域Ｂ２を形成している。下面案内部５４は、棚板４１の下面近傍に水平方向に棚板４１の前端４１ａ付近にまで延びている。言い換えれば、棚板４１ａの下面側を側面板４２、４３の下端よりも若干上方に設定することによって、棚板４１の下側にシャッタ収容空間たる下面収容空間Ｂ１を形成し、この下面収容空間Ｂ１の下側に配線空間Ｈを設けている。
【００２５】
シャッタ６は、図４、図５及び図６に示すように、レール５に支持された状態でレール５に沿って移動することによって。開口４ａを遮蔽した閉止位置（Ｃ）と、開口４ａを開放した退避位置（Ｏ）との間で移動可能となっている。そしてシャッタ６の構造について説明すると、図６（ａ）、図６（ｂ）、図６（ｃ）及び図６（ｄ）に示すように、シャッタ６は複数のシャッタ要素６１を連結し、その両側からスライダ６２を外嵌させ、このスライダ６２がレール５内を摺動し得る構成としている。シャッタ要素６１は、図６（ａ）に示すように断面視箱形の本体６１１と、本体６１１の一端側に形成した軸部６１２と、他端側に形成した軸受け６１３とによって主に構成された、例えば押出し成形により製造されたものである。スライダ６２は、図６（ｂ）に示すように箱形の本体６１１に対応した形状を有するスライダ本体６２１と、スライダ本体６２１の一端側に形成したピン６２２と、他端側に形成した挿通孔６２３とによって主に構成された例えば樹脂の一体成形により製造されたものである。そして、図６（ｃ）に示すように、シャッタ要素６１の軸受け６１３の内部に他のシャッタ要素６１の軸部６１２を挿入していくことによって複数のシャッタ要素６１を相対化移動可能に連結する一方で、スライダ６２の挿通孔６２３に他のスライダ６２のピン６２２を挿入することによって複数のスライダ６２を相対化移動可能に連結している。そして、連結した複数のシャッタ要素６１の軸部６１２内に連結した複数のスライダ６２のピン６２２をそれぞれ挿入することによって、図６（ｄ）に示すようにシャッタ６を完成させる。なお図６（ｄ）において、図示左側のスライダ６２は図（ｃ）に示したものとは左右対象の形状を有している。また、図４及び図５に示すように、シャッタ６の最も手前側にはシャッタ要素６１及びスライダ６２に代えて把手６１ａ及び把手用スライダ６２ａを連結している。そして把手６１ａの前端を、閉止位置（Ｃ）の際に棚板の前端４１ａに当接する当接面６１ａ１としている。
【００２６】
そして本実施形態では、書類Ｐを使用者の前面に向けて陳列することができる活用書類陳列領域１と、書類Ｐを起立重合状態で配列することができる仮収納領域２とをデスクトップ家具４の棚板４１上、すなわち家具本体４０の内部に設けたものとしている。以下、活用書類陳列領域１及び仮収納領域２について図２及び図７を参照して説明する。
【００２７】
活用書類陳列領域１は、図２に示すように、本実施形態では書類Ｐを例えばクリアホルダｃｈに入れた状態で陳列させた状態で保持し得る活用書類陳列手段たるスタンド１０と、このスタンド１０に書類Ｐを収納するための空間１０ａとによって構成している。スタンド１０は、図２に示すように書類Ｐを下方から支持する下方支持部１１と、書類Ｐの倒伏を防止する倒伏防止部１２と、一対の側方板１３（図示せず）、１４とによって主に構成している。また、倒伏防止部１２は、書類Ｐの後方を支持する後方支持壁１２２と、書類Ｐの前方を露出させた状態で支持する前方支持壁１２１と有している。なお本実施形態において、下方支持部１１と倒伏防止部１２とを、例えばアルミの押出しによって成形された部品によって構成するとともに、書類Ｐを上下２段に陳列し得るものとしている。そして、図２並びに図７に示すように、スタンド１０は幅寸法を変化させ得るように構成している。具体的には、下方支持部１１が複数の下方支持板１１ａを有するとともに倒伏防止部１２が複数の倒伏防止板１２ａとによって構成されるものであり、複数の下方支持板１１ａ並びに複数の倒伏防止板１２ａを幅方向に相対的に移動させることによって下方支持部１１並びに倒伏防止部１２の幅寸法を変化させ得る構造としている。本実施形態においては上述の通り下方支持部１１と倒伏防止部１２とをテレスコピック状に構成することにより、幅方向に伸縮可能なものとしている。
【００２８】
仮収納領域２は、図２に示すように、本実施形態では書類Ｐや当該書類Ｐを収納し得るボックスファイルｂを起立重合状態で配列し得る仮収納手段たるシェルフ２０と、このシェルフ２０に書類Ｐを収納するための空間２０ａとによって構成されたものとしている。シェルフ２０は、図２に示すように、一対の側板２３、２４と、側板２３、２４間に架設される横架部２１及び底部２２と、側板２３、２４間に設けられた仕切板２５とによって主に構成している。そして図２並びに図７に示すように、横架部２１を、後述の通りその幅寸法を変化させ得るように構成している。すなわち、横架部２１を連結した複数の横架材２１ａとから構成し、この複数の横架材２１ａを幅方向に相対的に移動させることによって幅寸法を変化させ得るものとしている。具体的には、両側の横架材２１ａの内部に中央の横架材２１ａを嵌め入れる構成としている。そして中央の横架材２１ａを嵌め入れる寸法を調節することによって、横架部２１の幅寸法を変化させ得る構造、すなわちテレスコピック状の構成としている。底部２２も同じく複数の底板２２ａによるテレスコピック状の構成としている。
【００２９】
しかして、本実施形態に係るデスクトップ家具４は、図１、図２、図３、図４及び図５に示すように、上述したレール５とスライダ６２とによって、シャッタ６が家具本体４０の前面及び上面を覆う閉止位置（Ｃ）から、背面板の背面及び棚板の下面に沿って収容される退避位置（Ｏ）までの間で相互に移動し得るように案内するシャッタ案内機構Ａを構成している。
【００３０】
以下、シャッタ６が移動する具体的な動作について図４及び図５を参照して詳述する。まず、閉止位置（Ｃ）から退避位置（Ｏ）へシャッタ６を移動させるべくシャッタ６の前端に配置された把手６１ａを持ち上げた場合、前面案内部５１に位置するシャッタ６よりも背面案内部５３に位置するシャッタ６の長さ寸法が長くなる位置を越えると、背面案内部５３に位置するシャッタ６の重量によって、シャッタ６は外力がなくとも自重によって退避位置（Ｏ）へと移動する。このとき、背面案内部５３を通過したシャッタ６は水平に設けられた下面案内部５４へ移動する際に水平に保持されるため、シャッタ６を退避位置（Ｏ）へと移動させるシャッタ６の重量は背面案内部５３の長さ寸法に係る重量以上に増加する事はなく、すなわちシャッタ６がレールの終端に勢いよく衝突することを有効に回避して、好適に退避位置（Ｏ）へ案内し得るものとなっている。一方、退避位置（Ｏ）から閉止位置（Ｃ）へシャッタ６を移動させるために上面案内部５２に位置する把手６１ａを引っ張った場合、背面案内部５３に位置するシャッタ６の長さ寸法よりも前面案内部５１に位置するシャッタ６の長さ寸法が長くなる位置を越えると、前面案内部５１に位置するシャッタ６の重量によってシャッタ６は外力が無くとも自重によって閉止位置（Ｃ）へ向かって移動する。そして把手６１ａの当接面６１ａ１が棚板４１の前端４１ａに当接することにより閉止位置（Ｃ）となり、この閉止位置（Ｃ）において上述した施錠手段４Ｋによって施錠することができる。
【００３１】
以上のような構成とすることにより、本実施形態に係る家具たるデスクトップ家具４は、開口４ａを閉止する閉止位置（Ｃ）から背面板４４の背面及び棚板４１の下面に沿って収容される退避位置（Ｏ）までの間で移動し得るように案内するシャッタ案内機構Ａを具備することにより、退避位置（Ｏ）において別途スペースを設けることなくシャッタ６を収容することができるので、家具本体４０まわりのスペースを有効に活用し得たものとなっている。そうすることにより、家具本体４０の開口４ａの内側の、シャッタ６によって遮蔽し得る空間を最大限に確保して、当該空間を種々の用途に用いることができる。
【００３２】
また、シャッタ案内機構Ａが、案内レールたるレール５と、シャッタ６の各側縁に設けられレール５に沿って移動可能な従動子たるスライダ６２とを具備する構成としているので、シャッタ要素６１の材質や構造に拘わらずシャッタ６をスムーズに案内することができ、小さな力でシャッタ６を操作することができる。
【００３３】
そしてレール５を背面案内部５３を背面板４４の背面近傍に配するとともに、下面案内部５４を棚板４１の下面近傍に配していているため、退避位置（Ｏ）において、より省スペースにシャッタ６を退避させることが可能となっている。
【００３４】
特に下面案内部５４を水平に設けているので、シャッタ６を退避させる際、ある位置までシャッタ６を持ち上げると背面案内部５３に位置するシャッタ６の重量が増えることによってシャッタ６が加速的に退避することとなるが、背面案内部５３を越えたシャッタ６の基端部分は下面案内部５４において水平に移動するためにシャッタ６は背面案内部５４の長さだけの自重以上に加速してシャッタ案内機構Ａに激しい衝撃を与えてしまうといったことを有効に回避している。なお下面案内部５４は、厳密に水平に設けている必要はなく例えばシャッタ６の加速を調節する等といった設計事項により若干の角度を付与して略水平に設けたものであってもよい。
【００３５】
そして、シャッタ収容空間たる下面収容空間Ｂ１と配線空間Ｈとを形成し得るように棚板４１の高さ位置を設定しているので、デスクトップ家具４が天板Ｄ１上の配線の邪魔となってデスクトップ家具４を避けて配線を取り回す必要性を有効に回避して、天板Ｄ１上の配線を好適に取り回し得る構成とすることができる。
【００３６】
加えて、家具本体４０の内部に、書類Ｐを使用者の前面に向けて陳列することができる活用書類陳列領域１と、当該活用書類陳列領域１に隣接し書類Ｐを起立重合状態で配列することができる仮収納領域２とを設けているので、天板Ｄ１上に書類Ｐを有効に配置し、管理し得るものとなっている。
【００３７】
以上、本発明の実施形態について説明したが、各部の具体的な構成は、上述した実施形態のみに限定されるものではなく、本発明の趣旨を逸脱しない範囲で種々変形が可能である。
【００３８】
例えば、上記実施形態において、シャッタの重量を利用してシャッタが移動し得る構成としていたが、例えばシャッタと背面板との間に閉止位置へ付勢するバランサを設けてもよく、また逆に退避位置への移動を付勢するようにバランサを設けても良い。また上記実施形態に係る執務システムにおいて、デスクは必ずしも袖を具備しているものに限られず、種々の態様のデスクを採用することができる。
【００３９】
その他、各部の具体的構成についても上記実施形態に限られるものではなく、本発明の趣旨を逸脱しない範囲で種々変形が可能である。
【図面の簡単な説明】
【００４０】
【図１】本発明の一実施形態に係る執務システムを示す外観図。
【図２】同実施形態に係るデスクトップ家具を示す外観図。
【図３】同上。
【図４】同実施形態に係るデスクトップ家具を示す模式的な断面図。
【図５】同上
【図６】同実施形態に係るシャッタの構成を示す説明図。
【図７】同実施形態に係るデスクトップ家具を示す外観図。
【符号の説明】
【００４１】
１…活用書類陳列領域
２…仮収納領域
４…家具（デスクトップ家具）
４０…家具本体
４１…棚板
４２、４３…側体（側面板）
４４…背面板
５…案内レール（レール）
５１…前面案内部
５２…上面案内部
５３…背面案内部
５４…下面案内部
６…シャッタ
６２…従動子（スライダ）
Ａ…シャッタ案内機構
Ｂ１…シャッタ収容空間（下面収容空間）
Ｄ…机（デスク）
Ｄ１…天板
Ｈ…配線空間
Ｃ…閉止位置
Ｏ…退避位置
【図１】
2007063879.tif 000003
【図２】
2007063879.tif 000004
【図３】
2007063879.tif 000005
【図４】
2007063879.tif 000006
【図５】
2007063879.tif 000007
【図６】
2007063879.tif 000008
【図７】
2007063879.tif 000009